(57)【要約】【課題】小型の電子機器の携帯性、収納性を損なうことなく、本体のホールド性、操作性を向上させる。【解決手段】一本の指を挿入して本体を保持する保持機構を設け、この保持機構を回転、又は並進移動させて収納できるようにした。【選択図】　　　　図１
2004012606.tif 000002
【特許請求の範囲】
【請求項１】
一本の指を挿入して本体を保持する保持機構を有する電子機器において、上記保持機構は、外装表面と略同一平面となって収納される第一の位置と収納状態から回転もしくは、並進移動して指を挿入し把持可能な第２の位置を有することを特徴とする電子機器。
【請求項２】
請求項１の電子機器において、該保持機構の第１の位置と第２の位置で電子機器の動作モードが切換わることを特徴とする電子機器。
【請求項３】
一本の指を挿入して本体を保持する保持機構を有する電子機器において、請求項１の第２の位置における指挿入穴の位置と大きさは、挿入した指の第二間接が自由に曲がる位置まで指を挿入することができる位置と大きさであることを特徴とする電子機器。
【発明の詳細な説明】
【０００１】
【発明の属する技術分野】
本発明は、主に手に持って操作する電子機器、例えば、カメラ、ＰＤＡ、携帯電話などの、小型な電子機器の、ホールド性の向上、操作性の向上に関する技術である。
【０００２】
【従来の技術】
従来例を図９〜図１２を用いて説明する。
【０００３】
従来の電子機器は、図９と図１０に示すように、電子機器１に紐状のストラップを付けたものがあった。そのストラップは首掛け用２または、手首掛け用３であり、その目的は、本体の落下防止、携行性向上であった。図９は首掛け用ストラップ２の実施例で、図１０は手首掛け用ストラップ３の実施例である。
【０００４】
図１１は手首掛け用ストラップ３を手首に掛けて、電子機器１を手に持っている状態を示す図である。ストラップ３は電子機器１を保持する役目は負っていない。
【０００５】
また、別の従来技術として、電子機器に甲当てベルトをつけたものがあった。図１２に甲当てベルトの実施例を示す。甲当てベルト４は、手の甲を挿入して、電子機器を保持し、ホールド性の向上、操作性の向上が目的である。甲当てベルト４は手のひらより大きなサイズが必要であり、小型化の妨げとなる。
【０００６】
このように、従来技術の首掛けストラップや手首掛けストラップでは、万が一、手から電子機器が放れたときの落下防止にはなるけれども、使用状態でのホールド性の向上、操作性の向上には機能不足である。
【０００７】
また、甲当てべルトは、ホールド性の向上、操作性の向上に寄与するけれども、甲当てベルトの大きさは手の甲を入れる大きさが必要であり、電子機器の小型化の妨げになっていた。
【０００８】
【発明が解決しようとする課題】
主に手に持って使用する電子機器において、機器の小型化に伴い、本体自体を指で保持する必要がでてきた。
【０００９】
従来例のストラップでは、保持を助ける役目にはならず、甲当てベルトでは本体の小型化ができない。
【００１０】
そこで、本発明が解決しようとする課題は、主に手に持って使用する電子機器の小型化によってもたらされる携帯性、収納性を損わずに、本体を指で保持するときのホールド性向上、操作性の向上を得ることである。
【００１１】
【課題を解決するための手段】
上記目的を達成するために、本発明は、一本の指を挿入して本体を保持する保持機構を設けることである。さらに保持機構を本体表面と略同一となる収納状態（第１の状態）と使用状態となる第２の状態とに形態が変えられるようにしたことで、未使用状態ではコンパクトな形状となり、携帯性、収納性を向上させている。
【００１２】
また、一本の指を挿入して本体を保持する保持機構を有する電子機器において、指挿入穴の位置と大きさは、挿入した指の第二間接が自由に曲がる位置まで指を挿入することができる位置と大きさとすることで、挿入した指の自由度が上がり、装着感の向上、操作性の向上が得られる。
【００１３】
また、一本の指を挿入して本体を保持する保持機構を有する電子機器において、指挿入穴に入れた指が電子機器の１つの操作キー又は複数の操作キーを操作できる位置に、指挿入穴と操作キーを配置することで、ホールド性の向上とともに、操作性の向上が得られる。
【００１４】
【発明の実施の形態】
（第１の実施例）
図１〜図３に本発明に係る第一の実施例のデジタルカメラ装置の説明図を示す。図１は、本実施例の撮影者側から見た撮影状態のデジタルカメラの斜視図で、図２は保持機構を収納した状態の斜視図である。
【００１５】
図１において１０１はカメラ本体、１０３は中央復帰はね返り型ズームスイッチ、１０４は撮影ボタン、１０６はＬＣＤ表示画面、１０７は撮影画像や、撮影機能の設定等を行う時に使う十字キー、１１０は撮影時に人差し指を挿入する保持部、１１１は本体内部の保持部の位置検出スイッチである。
【００１６】
撮影時は、図３に示すように右手人差し指を保持部１１０の穴部に入れ親指は撮影者側の側面、中指、薬指、小指は被写体側のカメラ前面側にくるようにして、カメラ本体１０１を保持する。人差し指を保持部１１０の挿入穴に通してカメラ本体部を保持することで、カメラ本体１０１と手がすべったり、ずれることがなくなるので格段にホールディング性が向上する。
【００１７】
保持部１１０に挿入した中指は、第二関節８が自由に曲げることができる位置まで挿入することができるのでカメラ本体１０３を確実にホールドした状態で、ズームスイッチ１０３及び撮影ボタン１０４を操作することができる。また、十字キー１０７は、カメラ本体１０１を上記状態で保持した状態でも右手親指によって操作することができる位置に配置されているので、撮影中であっても、カメラ本体を持ち替えることなく容易に撮影条件の設定、確認等が行え、操作性も良好である。
【００１８】
保持部１１０は、回転軸１１１を中心にして９０度回転し、図１に示すカメラ本体を右手で保持する第１の位置と、図２に示すように本体側面と同一面となる第２の位置をとる。収納時には保持部１１０を第２の位置にすることで、本体から出っ張ることがないため携帯性、収納性に優れる。
【００１９】
検出スイッチ１１５は、保持部１１０の位置を検出する。本実施例では、保持部が第１の位置にあるときに検出スイッチ１１１はＯＦＦ、保持部１１０が第２の位置にあるときは、スイッチの先端部が保持部１１０に押されてＯＮとなるように構成されている。
【００２０】
カメラ本体内のメインＣＰＵ１１２（不図示）は、この検出スイッチ１１５によって、撮影モードと再生モードを切換える。図４にフローチャートを示す。メインＣＰＵ１１２は、検出スイッチ１１５のＯＮ−ＯＦＦ状態を調べる（ステップ４０１）。スイッチ１１５がＯＦＦの場合は保持部１１０が第一の位置にあると判断して、撮影モードに切換える（ステップ４０３）。スイッチ１１５がＯＮの場合は、保持部１１０が第２の位置にあると判断して再生モードに切換える（ステップ４０４）。
【００２１】
（第２の実施例）
図５に本発明に係る第２の実施例のデジタルカメラ装置を示す。この実施例では、保持部１１０は、案内ガイド溝１１３にそってスライドして収納状態あるいは、使用状態の位置まで移動する。その他の部品の構成は、第１の実施例と同じ形態である。図６は、撮影状態を示す。人差し指の背と接触する部分１１０ｂの面積が広くとれるので使用時に保持部１１０が人差し指に食い込むことがなく、長時間使用していても指に負担が少ない。
【００２２】
（第３の実施例）
図７に本発明に係る第３の実施例のデジタルカメラ装置を示す。
【００２３】
本実施例では、保持部１１０を略Ｌ字形状にして、人差し指の背と接触する部分が設けられている。この接触部を指の形に合わせて凹形状にし、接触面積を広く取ることができるため、第１の実施例に比べてホールディング性を改善することができる。その他の部品の構成は第１の実施例と同じ形態である。
【００２４】
以上、デジタルカメラの実施例について説明してきたが、本発明は、上記実施例に限定されるものではない。ビデオカメラ、無線電話、ＰＤＡ等の携帯して使う小型の電子機器についても当然使用可能であり、収納時の携帯性、収納性を損なうことなく、使用時のホールド性、操作性の向上が可能である。
【００２５】
【発明の効果】
以上説明したように、本発明の電子機器によれば、主に手に持って操作する電子機器、例えば、カメラ、ＰＤＡ、携帯電話などの、小型な電子機器の、ホールド性の向上、操作性の向上が可能である。
【図面の簡単な説明】
【図１】実施例１
【図２】実施例１の使用状態
【図３】実施例１の使用状態
【図４】実施例１の動作を説明するフローチャート
【図５】実施例２
【図６】従来例２の使用状態
【図７】実施例３
【図８】実施例３の使用状態
【図９】従来例１
【図１０】従来例２
【図１１】従来例２の使用状態
【図１２】従来例３の使用状態
【符号の説明】
１　電子機器
２　首用ストラップ
３　手首用ストラップ
４　甲当てベルト
５　保持機構
７　操作キー
８　指の第二関節
１００　デジタルカメラ本体
１０４　撮影ボタン
１０６　ＬＣＤ表示画面
１１０　保持機構
【図１】
2004012606.tif 000003
【図２】
2004012606.tif 000004
【図３】
2004012606.tif 000005
【図４】
2004012606.tif 000006
【図５】
2004012606.tif 000007
【図６】
2004012606.tif 000008
【図７】
2004012606.tif 000009
【図８】
2004012606.tif 000010
【図９】
2004012606.tif 000011
【図１０】
2004012606.tif 000012
【図１１】
2004012606.tif 000013
【図１２】
2004012606.tif 000014